(57)【特許請求の範囲】
【請求項１】
第１支持部に取り付けられたアクチュエータが負荷トーナメントを介して第１リンクビーム及び第２リンクビームを引っ張るステップを具備し、
前記第１リンクビームは、前記第１リンクビームが揺動可能なように第１支持体に支持された第１部位と、第１負荷パッドに結合された第２部位とを備え、
前記第２リンクビームは、前記第２リンクビームが揺動可能なように第２支持体に支持された第３部位と、第２負荷パッドに結合された第４部位とを備え、
前記第１支持体及び前記第２支持体は、前記第１支持部に対して固定された第２支持部に取り付けられ、
前記ステップにおいて、前記第１負荷パッド及び前記第２負荷パッドは、供試体に圧縮荷重を負荷する
試験荷重負荷方法。
【請求項２】
前記第２部位は、トーナメントビームを介して前記第１負荷パッド及び第３負荷パッドに結合され、
前記トーナメントビームは、第１棒状部分と、前記第１棒状部分の両端にそれぞれ設けられた第１結合部及び第２結合部と、第３結合部と、前記第１棒状部分の前記両端の間に設けられた第３結合部支持部とを備え、
前記第３結合部支持部は、前記第３結合部を前記第１棒状部分から離して支持し、
前記第１負荷パッドは、前記供試体に固定された第１板状部分と、前記第１板状部分に立てられた第１柱状部分と、前記第１柱状部分の先端に設けられた第１負荷パッド結合部とを備え、
前記第３負荷パッドは、前記供試体に固定された第３板状部分と、前記第３板状部分に立てられた第３柱状部分と、前記第３柱状部分の先端に設けられた第３負荷パッド結合部とを備え、
前記第１負荷パッド結合部は、前記第１結合部に結合され、
前記第３負荷パッド結合部は、前記第２結合部に結合され、
前記トーナメントビームは、前記第３結合部が前記供試体に近く前記第１棒状部分が前記供試体から遠くなるように配置され、
前記ステップにおいて、
前記第２部位は、前記供試体に向かう方向の力を前記第３結合部に加え、
前記第３負荷パッドは、前記供試体に圧縮荷重を負荷する
請求項１の試験荷重負荷方法。
【請求項３】
前記第１リンクビームは、前記第１部位及び前記第２部位が両端に配置された棒状部分と、第５部位と、前記棒状部分の前記両端の間に設けられた第５部位支持部とを備え、
前記第５部位支持部は、前記第５部位を前記棒状部分から離して支持し、
前記ステップにおいて、
前記アクチュエータは、前記棒状部分から遠ざかる方向に前記第５部位を引っ張る
請求項１又は２の試験荷重負荷方法。
【請求項４】
前記第１支持体は、前記第１部位を回転可能に支持する第１支持体第１部位と、前記第１支持体が前記第２支持部に対して回転可能なように支持された第１支持体第２部位とを備える
請求項１乃至３のいずれかに記載の試験荷重負荷方法。
【請求項５】
前記第２部位は、トーナメントプレートを介して前記第１負荷パッド、第３負荷パッド及び第４負荷パッドに結合され、
前記トーナメントプレートは、
平板と、
前記第１負荷パッドに結合されたトーナメントプレート第１結合部と、
前記第３負荷パッドに結合されたトーナメントプレート第２結合部と、
前記第４負荷パッドに結合されたトーナメントプレート第３結合部と、
前記平板の第１位置に設けられ、前記トーナメントプレート第１結合部を支持するトーナメントプレート第１支持部と、
前記平板の第２位置に設けられ、前記トーナメントプレート第２結合部を支持するトーナメントプレート第２支持部と、
前記平板の第３位置に設けられ、前記トーナメントプレート第３結合部を支持するトーナメントプレート第３支持部と
を備え、
前記第１位置、前記第２位置及び前記第３位置は、三角形の３頂点に配置され、
前記平板の第４位置は、前記三角形の内側に配置され、前記第２部位に結合された
請求項１の試験荷重負荷方法。
【請求項６】
前記第１位置、前記第２位置及び前記第３位置の少なくとも一つは可変である
請求項５の試験荷重負荷方法。
【請求項７】
第１支持部に取り付けられたアクチュエータと、
負荷トーナメントと、
前記負荷トーナメントを介して前記アクチュエータに接続された第１リンクビーム及び第２リンクビームと、
前記第１支持部に対して固定された第２支持部に取り付けられた第１支持体及び第２支持体と、
供試体に荷重を負荷するための第１負荷パッド及び第２負荷パッドと
を具備し、
前記第１リンクビームは、前記第１リンクビームが揺動可能なように第１支持体に支持された第１部位と、前記第１負荷パッドに結合された第２部位とを備え、
前記第２リンクビームは、前記第２リンクビームが揺動可能なように第２支持体に支持された第３部位と、前記第２負荷パッドに結合された第４部位とを備える
試験荷重負荷機構。
【発明の詳細な説明】
【技術分野】
【０００１】
本発明は、試験荷重負荷方法及び試験荷重負荷機構に関する。
【背景技術】
【０００２】
特許文献１は、４枚の翼を持つ機体に適用される荷重負荷試験方法を開示している。図１は、曲げ及びせん断力を負荷して機体１００の試験をする方法を示す。機体１００は、０度位置の翼１０１と、９０度位置の翼１０１と、１８０度位置の翼１０１と、２７０度位置の翼１０１とを備える。０度位置の翼１０１の荷重点１０２と連結梁１０５の一端とを連結棒１０４を介して結合し、１８０度位置の翼１０１の荷重点１０２とこの連結梁１０５の他端とを連結棒１０４を介して結合する。９０度位置の翼１０１の荷重点１０２と他の連結梁１０５の一端とを連結棒１０４を介して結合し、２７０度位置の翼１０１の荷重点１０２とこの連結梁１０５の他端とを連結棒１０４を介して結合する。両連結梁１０５を連結梁１１５の両端にそれぞれ連結棒１１４を介して結合する。荷重計１０６を介して連結梁１１５を油圧アクチュエータ１０７に結合する。このようにすることで、一つの油圧アクチュエータ１０７が機体１００の４箇所に荷重を負荷することが可能である。
【０００３】
特許文献２は、油圧アクチュエータを用いて供試体に荷重を負荷する方法を開示している。
【０００４】
特許文献３は、構造強度試験用のテンションパッドを開示している。テンションパッドは、供試体の表面に接着剤により接着される。テンションパッドを介して供試体に試験荷重が負荷される。
【０００５】
特許文献４は、航空機の胴体構造に荷重を負荷するための試験荷重負荷方法を開示している。この方法では、胴体構造に接触した柔軟な負荷帯を介して荷重が負荷される。
【０００６】
【特許文献１】特開平１−２７２９３６号公報
【特許文献２】実開平３−１１５８３７号公報
【特許文献３】特開平６−２８８８５９号公報
【特許文献４】特開２００２−１９３１９６号公報
【発明の開示】
【発明が解決しようとする課題】
【０００７】
本発明の目的は、供試体の複数個所に押し荷重を安定的に負荷することが可能な試験荷重負荷方法及び試験荷重負荷機構を提供することである。
【課題を解決するための手段】
【０００８】
以下に、（発明を実施するための最良の形態）で使用される番号を用いて、課題を解決するための手段を説明する。これらの番号は、（特許請求の範囲）の記載と（発明を実施するための最良の形態）との対応関係を明らかにするために付加されたものである。ただし、それらの番号を、（特許請求の範囲）に記載されている発明の技術的範囲の解釈に用いてはならない。
【０００９】
本発明の一の観点において、試験荷重負荷方法は、第１支持部（９１）に取り付けられたアクチュエータ（４）が負荷トーナメント（２）を介して第１リンクビーム（５）及び第２リンクビーム（５）を引っ張るステップを具備する。第１リンクビーム（５）は、第１リンクビーム（５）が揺動可能なように第１支持体（６）に支持された第１部位（５１）と、第１負荷パッド（３Ｂ、３Ｃ）に結合された第２部位（５２）とを備える。第２リンクビーム（５）は、第２リンクビーム（５）が揺動可能なように第２支持体（６）に支持された第３部位（５１）と、第２負荷パッド（３Ｂ、３Ｃ）に結合された第４部位（５２）とを備える。第１支持体（６）及び第２支持体（６）は、第１支持部（９１）に対して固定された第２支持部（９２）に取り付けられている。上記ステップにおいて、第１負荷パッド（３Ｂ、３Ｃ）及び第２負荷パッド（３Ｂ、３Ｃ）は、供試体（９９）に圧縮荷重を負荷する。
【００１０】
第２部位（５２）は、トーナメントビーム（７）を介して第１負荷パッド（３Ｂ）及び第３負荷パッド（３Ｂ）に結合されることが好ましい。トーナメントビーム（７）は、第１棒状部分（７０）と、第１棒状部分（７０）の両端にそれぞれ設けられた第１結合部（７２）及び第２結合部（７２）と、第３結合部（７１）と、第１棒状部分（７０）の両端の間に設けられた第３結合部支持部（７４）とを備える。第３結合部支持部（７４）は、第３結合部（７１）を第１棒状部分（７０）から離して支持する。第１負荷パッド（３Ｂ）は、供試体（９９）に固定された第１板状部分（３２）と、第１板状部分（３２）に立てられた第１柱状部分（３６）と、第１柱状部分（３６）の先端に設けられた第１負荷パッド結合部（３４）とを備える。第３負荷パッド（３Ｂ）は、供試体（９９）に固定された第３板状部分（３２）と、第３板状部分（３２）に立てられた第３柱状部分（３６）と、第３柱状部分（３６）の先端に設けられた第３負荷パッド結合部（３４）とを備える。第１負荷パッド結合部（３４）は、第１結合部（７２）に結合されている。第３負荷パッド結合部（３４）は、第２結合部（７２）に結合されている。トーナメントビーム（７）は、第３結合部（７１）が供試体（９９）に近く第１棒状部分（７０）が供試体（９９）から遠くなるように配置される。上記ステップにおいて、第２部位（５２）は、供試体（９９）に向かう方向の力を第３結合部（７１）に加え、第３負荷パッド（３Ｂ）は、供試体（９９）に圧縮荷重を負荷する。
【００１１】
第１リンクビーム（５）は、第１部位（５１）及び第２部位（５２）が両端に配置された棒状部分（５０）と、第５部位（５３）と、棒状部分（５０）の両端の間に設けられた第５部位支持部（５４）とを備えることが好ましい。第５部位支持部（５４）は、第５部位（５３）を棒状部分（５０）から離して支持する。上記ステップにおいて、アクチュエータ（４）は、棒状部分（５０）から遠ざかる方向に第５部位（５３）を引っ張る。  
【００１２】
第１支持体（６）は、第１部位（５１）を回転可能に支持する第１支持体第１部位（６２）と、第１支持体（６）が第２支持部（９２）に対して回転可能なように支持された第１支持体第２部位（６１）とを備えることが好ましい。
【００１３】
第２部位（５２）は、トーナメントプレート（８）を介して第１負荷パッド（３Ｃ）、第３負荷パッド（３Ｃ）及び第４負荷パッド（３Ｃ）に結合されることが好ましい。トーナメントプレート（８）は、平板（８０）と、第１負荷パッド（３Ｃ）に結合されたトーナメントプレート第１結合部（８１ａ）と、第３負荷パッド（３Ｃ）に結合されたトーナメントプレート第２結合部（８１ａ）と、第４負荷パッド（３Ｃ）に結合されたトーナメントプレート第３結合部（８１ａ）と、平板（８０）の第１位置に設けられたトーナメントプレート第１支持部（８１ｃ）と、平板（８０）の第２位置に設けられたトーナメントプレート第２支持部（８１ｃ）と、平板（８０）の第３位置に設けられたトーナメントプレート第３支持部（８１ｃ）を備える。トーナメントプレート第１支持部（８１ｃ）は、トーナメントプレート第１結合部（８１ａ）を支持する。トーナメントプレート第２支持部（８１ｃ）は、トーナメントプレート第２結合部（８１ａ）を支持する。トーナメントプレート第３支持部（８１ｃ）は、トーナメントプレート第３結合部（８１ａ）を支持する。第１位置、第２位置及び第３位置は、三角形の３頂点に配置される。平板（８０）の第４位置は、三角形の内側に配置され、第２部位（５２）に結合される。
【００１４】
第１位置、第２位置及び第３位置の少なくとも一つは可変であることが好ましい。
【００１５】
本発明の他の観点において、試験荷重負荷機構（１）は、第１支持部（９１）に取り付けられたアクチュエータ（４）と、負荷トーナメント（２）と、負荷トーナメント（２）を介してアクチュエータ（４）に接続された第１リンクビーム（５）及び第２リンクビーム（５）と、第１支持部（９１）に対して固定された第２支持部（９２）に取り付けられた第１支持体（６）及び第２支持体（６）と、供試体（９９）に荷重を負荷するための第１負荷パッド（３Ｂ、３Ｃ）及び第２負荷パッド（３Ｂ、３Ｃ）とを具備することが好ましい。第１リンクビーム（５）は、第１リンクビーム（５）が揺動可能なように第１支持体（６）に支持された第１部位（５１）と、第１負荷パッド（３Ｂ、３Ｃ）に結合された第２部位（５２）とを備える。第２リンクビーム（５）は、第２リンクビーム（５）が揺動可能なように第２支持体（６）に支持された第３部位（５１）と、第２負荷パッド（３Ｂ、３Ｃ）に結合された第４部位（５２）とを備える。
【発明の効果】
【００１６】
本発明によれば、供試体の複数個所に押し荷重を安定的に負荷することが可能な試験荷重負荷方法及び試験荷重負荷機構が提供される。
【発明を実施するための最良の形態】
【００１７】
はじめに、本発明の理解を助けるため、供試体の複数個所に引っ張り荷重を負荷するための試験荷重負荷機構、及び、この試験荷重負荷機構を用いて押し荷重を負荷したときに生じる問題点を説明する。
【００１８】
図２は、供試体９９の複数個所に引っ張り荷重を負荷するための試験荷重負荷機構を示す。試験荷重負荷機構は、負荷トーナメント２と、複数の負荷パッド３Ａを備える。負荷トーナメント２は、トーナメント表のような形状を有する構造体である。負荷トーナメント２は、一つの油圧アクチュエータで供試体９９の複数個所に荷重を負荷するために用いられる。負荷トーナメント２は、帯板１０と、トーナメントビーム２１と、帯板１１と、トーナメントビーム２２と、帯板１２と、トーナメントビーム２３と、帯板１３を備える。帯板１０は、両端に結合部１０ａ及び結合部１０ｂを備える。帯板１１は、両端に結合部１１ａ及び結合部１１ｂを備える。帯板１２は、両端に結合部１２ａ及び結合部１２ｂを備える。帯板１３は、両端に結合部１３ａ及び結合部１３ｂを備える。結合部１０ａは、トーナメントビーム２１の両端の間の部位に結合されている。トーナメントビーム２１の両端の各々には、複数の負荷パッド３Ａが結合されている。例えば、トーナメントビーム２１の両端の一方には、帯板１１を介してトーナメントビーム２２が結合されている。トーナメントビーム２１の両端の一方に結合部１１ｂが結合されている。結合部１１ａにトーナメントビーム２２の両端の間の部位が結合されている。トーナメントビーム２２の両端の各々には、帯板１２を介してトーナメントビーム２３が結合されている。トーナメントビーム２２の両端の各々には、結合部１２ｂが結合されている。各結合部１２ａにトーナメントビーム２３の両端の間の部位が結合されている。各トーナメントビーム２３の両端の各々には、帯板１３を介して負荷パッド３Ａが結合されている。各トーナメントビーム２３の両端の各々に結合部１３ｂが結合されている。各結合部１３ａが負荷パッド３Ａの結合部３１に結合されている。結合部３１は、耳金または丸棒のような負荷金具である。各負荷パッド３Ａは、結合部３１に結合されたバックスキン３２と、固定部３３とを備える。バックスキン３２は、例えば、鉄板のような板状部分である。バックスキン３２は、固定部３３を介して供試体９９に固定されている。固定部３３は、ゴム板又はシーラントゴムである。固定部３３がゴム板の場合、固定部３３は図示されない接着剤により供試体９９に固定されている。上記各結合部における結合は一定の角度範囲で回転自由である。
【００１９】
結合部１０ｂに図示されない油圧アクチュエータを結合し、矢印の方向に結合部１０ｂを引っ張ると、複数の負荷パッド３Ａが供試体９９の複数個所に引っ張り荷重を負荷する。荷重により供試体９９が大きく変形する場合であっても、上記各結合部における結合が一定の角度範囲で回転自由であるために負荷トーナメント２は供試体９９の変形に追従して変形する。その結果、各負荷パッド３Ａは、パッド内荷重分布９５に示されるような均一な荷重分布を供試体９９に負荷する。
【００２０】
図３を参照して、供試体９９の複数個所に押し荷重（圧縮荷重）を負荷するために、油圧アクチュエータが矢印の方向に結合部１０ｂを押している。この場合、上記各結合部における結合が一定の角度範囲で回転自由であることが災いして負荷トーナメント２が崩れてしまう。その結果、負荷パッド３Ａがパッド内荷重分布９６に示されるような不均一な荷重分布を供試体９９に負荷して供試体９９が破壊されたり、所望の分布荷重を供試体９９に負荷することができなかったりする。図３に示す方法では、供試体９９の複数個所に押し荷重を安定的に負荷することが困難である。
【００２１】
添付図面を参照して、本発明による試験荷重負荷方法及び試験荷重負荷機構を実施するための最良の形態を以下に説明する。
【００２２】
（第１の実施形態）
図４は、本発明の第１の実施形態に係る試験荷重負荷機構１を示す。試験荷重負荷機構１は、空力又は慣性による分布荷重を模擬するため、供試体９９の複数個所に圧縮荷重を負荷する。供試体９９は、翼、舵、扉のような航空機の構造体である。試験荷重負荷機構１は、上述の負荷トーナメント２と、油圧アクチュエータ４と、固定反力支持部９１に固定された基部９３とを備える。固定反力支持部９１は、地面に対して固定された床、架構又は壁である。油圧アクチュエータ４は、基部９３を介して固定反力支持部９１に取り付けられている。油圧アクチュエータ４は、基部９３に結合された第１部分４１と、結合部１０ｂに結合された第２部分４２とを備える。試験荷重負荷機構１は、複数の結合部１３ａの各々に対応して、固定反力支持部９２に固定された基部９４と、基部９４を介して固定反力支持部９２に取り付けられた支持体６と、リンクビーム５と、負荷パッド３Ｂを備える。支持体６として、例えば、帯板が用いられる。リンクビーム５は、棒状部分５０と、結合部５１と、結合部５２と、結合部５３と、支持部５４を備える。結合部５１は、支持体６に結合されている。結合部５２は、負荷パッド３Ｂに結合されている。負荷パッド３Ｂは、供試体９９に固定されている。結合部１３ｂは、対応するリンクビーム５の結合部５３に結合されている。固定反力支持部９２は、固定反力支持部９１に対して固定された床、架構又は壁である。固定反力支持部９２は、固定反力支持部９１に対して並進も回転もしない。供試体９９は、図示されない固定冶具によって固定反力支持部９１に対して固定されている。
【００２３】
結合部５１及び結合部５２は、棒状部分５０の両端にそれぞれ設けられている。支持部５４は、棒状部分５０の両端の間に設けられている。支持部５４は、結合部５３を棒状部分５０から離して支持している。結合部５３及び結合部１３ａは、回転可能なように結合されている。結合部５２と、負荷パッド３Ｂが備える結合部３４とは、回転可能なように結合されている。
【００２４】
図５を参照して、支持体６は、結合部６１及び結合部６２を両端に備える。結合部６２は、リンクビーム５が揺動可能なように結合部５１を支持する。基部９４は、支持体６が揺動可能なように結合部６１を支持する。結合部５１と結合部６２とは、回転可能に結合されている。基部９４と結合部６１とは、回転可能に結合されている。
【００２５】
図６を参照して、負荷パッド３Ｂは、結合部３４に加えて、バックスキン３２と、固定部３３と、柱状部分３６を備える。バックスキン３２は、鉄板のような板状部分である。固定部３３は、バックスキン３２を供試体９９に固定する。固定部３３は、バックスキン３２に固定されたゴム板を備える。ゴム板は、供試体９９に接着剤で接着される。固定部３３は、ゴム板及び接着剤のかわりにバックスキン３２を供試体９９に固定するシーラントゴムを備えてもよい。結合部３４は、バックスキン３２に立てられた柱状部分３６の先端に設けられている。結合部３４は、例えば、ロッドエンド（ロッドエンドアイ）のような負荷金具である。
【００２６】
図４を参照して、基部９４と結合部６１の結合における回転軸、結合部６２と結合部５１の結合における回転軸、結合部５３と結合部１３ａにおける結合における回転軸、結合部５２と結合部３４の結合における回転軸は、互いに平行である。
【００２７】
油圧アクチュエータ４は、第１部分４１と第２部分４２の距離を縮めることで、負荷トーナメント２を介して各リンクビーム５を引っ張る。このとき、各結合部５２が対応する負荷パッド３Ｂを供試体９９に押し付ける。その結果、各負荷パッド３Ｂは、供試体９９に圧縮荷重を負荷する。ここで、負荷トーナメント２には引っ張り力が作用するから、負荷トーナメント２が崩れることが防がれている。したがって、一つの油圧アクチュエータ４を用いて供試体９９の複数個所に押し荷重（圧縮荷重）を安定的に負荷することが可能である。
【００２８】
結合部５１、結合部５２及び結合部５３が三角形の３頂点にそれぞれ配置され、結合部５３は負荷トーナメント２によって棒状部分５０から遠ざかる方向に引っ張られる。このことは、押し荷重の安定的な負荷に寄与する。
【００２９】
更に、支持体６が基部９４に対して揺動可能であるため、荷重の負荷により供試体９９が図中に破線で示すように大きく変形する場合であっても、試験荷重負荷機構１は供試体９９に安定的に荷重を負荷することが可能である。
【００３０】
なお、荷重の負荷による供試体９９の変形が小さい場合、支持体６が基部９４に固定されていてもよい。結合部６１と基部９４の結合を回転可能にする必要がないため、コストダウンが可能である。
【００３１】
（第２の実施形態）
図７は、本発明の第２の実施形態に係る試験荷重負荷機構１を示す。本実施形態における試験荷重負荷機構１は、結合部５２がトーナメントビーム７を介して複数の負荷パッド３Ｂに結合されている点だけが第１の実施形態に係る試験荷重負荷機構１と異なる。本実施形態よれば、供試体９９に荷重を負荷する荷重負荷位置を増やすことが可能である。
【００３２】
図８を参照して、トーナメントビーム７は、棒状部分７０と、棒状部分７０の両端にそれぞれ設けられた２つの結合部７２を備える。各結合部７２は、対応する負荷パッド３Ｂの結合部３４に結合されている。結合部７２と結合部３４の結合は、回転可能である。
【００３３】
図９を参照して、トーナメントビーム７は、棒状部分７０の両端の間に設けられた支持部７４と、結合部７１とを備える。支持部７４は、結合部７１を棒状部分７０から離して支持している。結合部７１は、結合部５２に結合されている。結合部７１と結合部５２の結合は回転可能である。結合部７１と結合部５２の結合における回転軸Ｓ１は、結合部５１と結合部６２における回転軸に平行である。両結合部７２は、回転軸Ｓ１に平行な直線Ｌ１上に配置されている。回転軸Ｓ１は、直線Ｌ１に対して直線Ｌ１に直交するオフセット方向に距離Ｄだけオフセットされている。結合部７２と結合部３４の結合における回転軸は、直線Ｌ１と直交し、オフセット方向に垂直である。トーナメントビーム７は、結合部７１が供試体９９に近く棒状部分７０が供試体９９から遠くなるように配置されている。
【００３４】
油圧アクチュエータ４が各リンクビーム５を引っ張るとき、結合部５２は、供試体９９に向かう方向の力を結合部７１に加える。各結合部７２は、対応する負荷パッド３Ｂを供試体９９に押し付ける。このとき、両負荷パッド３Ｂは、供試体９９に圧縮荷重を負荷する。
【００３５】
結合部７１及び両結合部７２が三角形の３頂点にそれぞれ配置され、結合部７１は結合部５２によって棒状部分７０から遠ざかる方向の力が加えられる。このことは、押し荷重の安定的な負荷に寄与する。
【００３６】
更に、結合部７２と結合部３４との結合が回転可能であるため、供試体９９の変形に応じて圧縮荷重が安定的に負荷される。
【００３７】
結合部３４は、直線Ｌ１に沿って移動可能なように結合部７２に結合されることが好ましい。例えば、結合部７２に直線Ｌ１に沿って延びるガイドを設け、ガイドに沿って結合部３４が移動可能なように結合部３４と結合部７２を結合する。ガイドは、例えば、長穴、溝又はレールである。この場合、供試体９９の変形による結合部３４の間の距離の変動が吸収される。
【００３８】
負荷トーナメント２のように多段に連結されたトーナメントビーム７を介して結合部５２と複数の負荷パッド３Ｂを接続すれば、荷重負荷位置を更に増やすことが可能である。例えば、上位段のトーメントビーム７の結合部７２と下位段のトーナメントビーム７の結合部７１とが結合される。上位段は結合部５２側に対応し、下位段は負荷パッド３Ｂ側に対応する。ただし、この場合は、負荷トーナメントの大きさに対応して柱状部分３６を長くしなければならない。柱状部分３６が長いと供試体９９に作用するモーメントが大きくなるから、この方法による荷重負荷位置の増加には限界がある。
【００３９】
（第３の実施形態）
本発明の第３の実施形態に係る試験荷重負荷機構１は、図１０に示すトーナメントプレート８を介して結合部５２が複数の負荷パッド３Ｃに結合されている点だけが第１の実施形態に係る試験荷重負荷機構１と異なる。
【００４０】
負荷パッド３Ｃは、負荷パッド３Ｂと同様のバックスキン３２及び固定部３３を備える。負荷パッド３Ｃは、結合部３４及び柱状部分３６のかわりに結合部３５を備える。結合部３５は、バックスキン３２に固定されている。
【００４１】
トーナメントプレート８は、平板８０と、平板８０の３つの位置の各々に設けられた支持部８１ｃと、支持部８１ｃを平板８０に固定する固定部８１ｂと、支持部８１ｃに支持された結合部８１ａと、平板８０に設けられた結合部８２と、平板８０に設けられた補強用のリブ８３を備える。平板８０の３つの位置は、三角形の３頂点に配置される。結合部８２が設けられる位置は、荷重重心に対応し、三角形の内側に配置される。各結合部８１ａは、対応する負荷パッド３Ｃの結合部３５に結合されている。結合部８１ａと結合部３５との結合は、回転可能である。結合部８１ａは、例えば、結合部３５が備える空洞にはまったボールである。各結合部８１ａと結合部８２とは、平板８０の両側に配置されている。
【００４２】
結合部８２には、他のトーナメントプレート８が備える３つの結合部８１ａの一つが結合される。結合部８２と結合部８１ａの結合は、回転可能である。結合部８１ａがボールの場合、結合部８２はボールがはまる空洞を備える。このようにトーナメントプレート８が複数段に結合されて、最上段のトーナメントプレート８の結合部８２に結合部５２が結合される。
【００４３】
油圧アクチュエータ４が各リンクビーム５を引っ張るとき、結合部５２は、最上段のトーナメントプレート８の結合部８２を供試体９９に向かって押し付ける。このとき、結合部５２にトーナメントプレート８を介して結合された複数の負荷パッド３Ｃの各々は、供試体９９に圧縮荷重を負荷する。本実施形態によれば、荷重負荷位置を増やすことが容易である。また、本実施形態に係る試験荷重負荷機構１は、面分布荷重としての圧縮荷重を供試体９９に負荷するために好適である。
【００４４】
トーナメントプレート８は、一段だけでもよい。この場合図１０に示されたトーナメントプレート８が最上段のトーナメントプレート８に該当する。また、油圧アクチュエータが負荷トーナメント２及びリンクビーム５を介さずに、最上段のトーナメントプレート８の結合部８２を供試体９９に向かって押し付けても良い。トーナメントプレート８を用いたトーナメント構造は、圧縮力に対して崩れにくい。
【００４５】
三つの支持部８１ｃの内の二つは、平板８０に設けられたスリット（長穴）８０ａ及び８０ｂに沿ってそれぞれ移動可能であることが好ましい。３つの結合部８１ａの荷重配分の調整が可能である。スリット８０ａは、三角形の３頂点の一つとしての第１頂点を通る直線Ｌ１１に沿って延びている。スリット８０ｂは、第１頂点で直線Ｌ１１と交わる直線Ｌ１２に沿って延びている。
【図面の簡単な説明】
【００４６】
【図１】図１は、従来の荷重負荷試験方法を示す。
【図２】図２は、比較例に係る試験荷重負荷機構を用いて引張荷重を負荷する方法を示す。
【図３】図３は、比較例に係る試験荷重負荷機構を用いて押し荷重を負荷する方法を示す。
【図４】図４は、第１の実施形態に係る試験荷重負荷機構を示す。
【図５】図５は、図４のＡ−Ａ矢視図である。
【図６】図６は、第１の実施形態に係る試験荷重負荷機構が備える負荷パッドを示す。
【図７】図７は、本発明の第２の実施形態に係る試験荷重負荷機構を示す。
【図８】図８は、図７のＢ−Ｂ矢視図である。
【図９】図９は、図８のＣ−Ｃ断面図である。
【図１０】図１０は、本発明の第３の実施形態に係るトーナメントプレートの斜視図である。
【符号の説明】
【００４７】
１…試験荷重負荷機構
２…負荷トーナメント
１０〜１３…帯板
１０ａ〜１３ａ、１０ｂ〜１３ｂ…結合部
２１〜２３…トーナメントビーム
３Ａ〜３Ｃ…負荷パッド
３１、３４、３５…結合部
３２…バックスキン
３３…固定部
３６…柱状部分
４…油圧アクチュエータ
４１…第１部分
４２…第２部分
５…リンクビーム
５０…棒状部分
５１〜５３…結合部
５４…支持部
６…支持体
６１、６２…結合部
７…トーナメントビーム
７０…棒状部分
７１、７２…結合部
７４…支持部
８…トーナメントプレート
８０…平板
８０ａ、８０ｂ…スリット
８１ａ…結合部
８１ｂ…固定部
８１ｃ…支持部
８２…結合部
８３…リブ
９１、９２…固定反力支持部
９３、９４…基部
９５、９６…パッド内荷重分布
９９…供試体
１００…機体
１０１…翼
１０２…荷重点
１０４、１１４…連結棒
１０５、１１５…連結梁
１０６…荷重計
１０７…油圧アクチュエータ
【図１】
0004969492.tif 000002
【図２】
0004969492.tif 000003
【図３】
0004969492.tif 000004
【図４】
0004969492.tif 000005
【図５】
0004969492.tif 000006
【図６】
0004969492.tif 000007
【図７】
0004969492.tif 000008
【図８】
0004969492.tif 000009
【図９】
0004969492.tif 000010
【図１０】
0004969492.tif 000011